(57)【特許請求の範囲】
【請求項１】
予め被写体に設けられた認証情報発生手段と、この認証情報発生手段から発せられる認証情報と前記被写体からの映像情報及び／又は音声情報を取得する情報取得手段と、前記認証情報をキーとして前記被写体に関する付帯情報を検索可能に予め格納する付帯情報データベースと、前記認証情報発生手段から発せられる認証情報をキーとして前記付帯情報データベースから前記被写体に対応する付帯情報を抽出する付帯情報処理部と、前記付帯情報処理部で抽出された前記被写体に対応する付帯情報を前記被写体からの映像情報及び／又は音声情報に結合させた結合情報を生成する情報結合部と、前記結合情報を予め定めた配置にして出力可能なように前記結合情報を編集する情報編集部と、前記編集された結合情報を出力する出力部とを有し、前記被写体に関する優先順位情報を格納するデータベースを備え、前記情報編集部は、前記被写体に設けられた認証情報発生手段から発せられる認証情報をキーとして前記データベースから抽出された前記被写体に対応する優先順位情報に基づいて前記結合情報の配置順序を編集することを特徴とする被写体情報編集システム。
【請求項２】
前記聴覚を刺激する聴覚効果情報を格納する聴覚効果情報データベースを備え、前記情報編集部は、前記聴覚効果情報データベースから前記聴覚効果情報を読み出して前記聴覚効果情報を前記被写体からの映像情報及び／又は音声情報若しくは前記結合情報に挿入することを特徴とする請求項１記載の被写体情報編集システム。
【請求項３】
前記視覚を刺激する視覚効果情報を格納する視覚効果情報データベースを備え、前記情報編集部は、前記視覚効果情報データベースから前記視覚効果情報を読み出して前記視覚効果情報を前記被写体からの映像情報及び／又は音声情報若しくは前記結合情報に挿入することを特徴とする請求項１又は請求項２に記載の被写体情報編集システム。
【請求項４】
前記情報取得手段で取得された前記認証情報及び前記被写体からの映像情報及び／又は音声情報を格納する映像・音声情報データベースを備えることを特徴とする請求項１乃至請求項３のいずれか１項に記載の被写体情報編集システム。
【請求項５】
前記情報取得手段から前記認証情報と前記被写体からの映像情報及び／又は音声情報を受信し、情報通信網に前記認証情報と前記被写体からの映像情報及び／又は音声情報を送信する送信手段と、この送信手段から前記情報通信網を介して前記認証情報と前記被写体からの映像情報及び／又は音声情報を受信する入力部を有することを特徴とする請求項１乃至請求項４のいずれか１項に記載の被写体情報編集システム。
【発明の詳細な説明】
【技術分野】
【０００１】
本発明は、被写体に予め認証情報発生手段を設けておき、その認証情報発生手段から発生される被写体の認証情報を含めて被写体から映像情報及び／又は音声情報を取得して、映像情報及び／又は音声情報を編集する際に、認証情報を用いて予め格納されている付帯情報を抽出して、結合して編集する被写体情報編集システムに関する。
【背景技術】
【０００２】
従来の結婚披露宴会場では、披露宴会場の様子をビデオカメラで撮影して、その披露宴の後半あるいは最後に、その披露宴会場で撮影したビデオの内容を紹介するというようなサービスがなされている。
例えば、特許文献１の「記念写真編集装置および記念写真の提供方法」に開示されるように、出席者が楽しみながら編集することができ、しかも、その場でプリント等を受け取ることができる付加価値の高い記念写真が提供される発明がなされている。このような記念写真編集装置では、撮像手段を備え、その撮像手段による写真画像に対応した画像信号の入力を受け付ける受付手段と、その写真画像を表示する表示手段、さらに、その写真画像に文字や図形の書き込みを行うための入力手段と、それらの書き込み画像情報と写真画像を重ね合わせた合成画像を生成するための画像処理手段を備えるものである。
このように構成される特許文献１に記載の発明においては、出席者が参加しながら写真画像に対して自由に装飾を付すことが可能であり、楽しみながら写真に付加価値を持たせることが可能である。
【０００３】
また、特許文献２には、結婚式場で撮影した写真や参列者名を披露宴会場で放映するための「結婚式情報配信システム」が開示されている。この結婚式情報配信システムは、結婚式の模様を撮影するカメラと、撮影した画像を基に編集・加工したビデオ映像を結婚式場で放映するためのビデオ映像投影装置と、撮影した画像データを編集・配信センターへ送信して披露宴の参列者名、イラストやアニメーション等を付加して編集・加工した動画データを作成し、再び結婚式場へ転送して記録媒体にビデオ映像を書き込み、ビデオ映像投影装置によって再生し放映するためのこれらの情報を送受信する結婚式場内のコンピュータ端末と、撮影された画像データを編集・加工する通信回線に接続された編集・配信センターとから構成されるものである。
このように構成される結婚式情報配信システムでは、結婚式の式場や披露宴会場、あるいは待合室で撮影した参列者の画像データに、センター側で予め入力しておいた参列者データや予め用意しておいたアニメーションを付加し、ほぼリアルタイムに披露宴会場で放映するビデオ映像に編集・加工して、結婚式場に配信することができるので、披露宴で参列者が受ける印象を強いものにする効果がある。
また、このような結婚式の披露宴におけるビデオ撮影・編集の他にも、多人数が集まる会議における議事録の作成や会議の様子を記録するビデオの撮影・編集がなされている場合がある。さらに、例えば生鮮食品を、インターネットサイトを利用してバーチャルな店舗を用いて販売する場合において、その販売のためのチラシや広告をそのサイトで紹介しながら、消費者がその商品を写真等で確認をした上で、商品の選択を可能にして販売を促進する場合もある。
【０００４】
【特許文献１】特開２００４−１６６０１６号公報
【特許文献２】再公表２００５−６２２２１号公報
【発明の開示】
【発明が解決しようとする課題】
【０００５】
しかしながら、この特許文献１及び特許文献２に開示される技術においては、披露宴会場で撮影したビデオをそのまま編集して、その同じ披露宴の後半や最後のときまでに上映しようとすると、披露宴のスケジュール遵守や管理の関係から編集に十分な時間をとることができず、出来栄えのよいビデオを上映することは非常に困難である可能性があるという課題があった。
すなわち、多数の参加者がある披露宴や国際会議等では、多数の参列者が一度ならず、複数回登場する場合も多く、延べ人数で撮影される回数を考えると膨大な画像の情報量であるため、これを短時間に編集することは披露宴や国際会議等の時間的な制約から困難を極めるものである。
また、披露宴では、出席者の名前や新郎・新婦との関係を調べながら、そのビデオ出演に関する優先順位等にも配慮しなければならず、それをすべて満足するように編集することは短時間ではほぼ不可能であり、多数の人材を投入することで解決できるような種類の問題でもなかった。
その結果、披露宴後に出席者からクレームが発生したり、後味の悪いケースも発生する等せっかくのサービスが逆効果となる場合さえもあるという課題があった。また、映像や画像に映る被写体と、その名前やコメント等付帯情報とを一致させることが時間的にも難しいため、そもそも名前やコメント等を付さないことも多く、また、一致させようとした場合には誤ってしまうこともあり、せっかくの披露宴が台無しとなってしまう可能性もあった。
このような課題は、披露宴会場に限らず、多数の出席者がある国際会議等における発言などをまとめる際にも同様に生じるもので、会議での発言内容をまとめて議事録を作成するような場合でも、限られた会議の時間内に誰がどのような発言をしたかを特定して優先順位なども考慮しながらまとめるのは非常に時間と労力を要するものであるという課題があった。
すなわち、多数の出席者があり、その各々の参加者を被写体として、それぞれどのような発言や行動を起したかについてビデオなどで動画や静止画を記録しながら編集し、しかもその限られた時間内に示すような場合には、時間的な制約を受けながら迅速に効率的にその画像情報を編集する必要があるため、困難を極めるという課題があった。
さらに、生鮮食品のインターネットサイト販売などでは、単なる見本としての写真を掲載しても、実際の商品と異なる場合もあり、リアルタイム性に欠けてしまう可能性が高く、特に生鮮食品という商品の性質から消費者の満足を得られない場合もあるという課題があった。
生産者等が収穫、採取、漁獲した状態で、その生鮮食品に関する生産者等の情報に併せてその生鮮食品に関する情報、特に画像・映像情報をインターネットサイト等で紹介できないため、消費者の購買意欲を喚起することが困難で、しかも近時取りざたされる食の安全に対する安心感にも欠けるという課題があった。
【０００６】
本発明はかかる従来の事情に対処してなされたものであり、被写体に付帯する情報を予め備えておき、その付帯情報を被写体の映像情報及び／又は音声情報を編集する際に、この映像情報及び／又は音声情報と同時に取得されるように予め被写体に設けられた認証情報発生手段によって発生される認証情報から付帯情報を検索、抽出して映像情報及び／又は音声情報に結合させて出力可能にして、被写体に関する映像情報及び／又は音声情報と付帯情報を一致させて、同時に出力が可能であると同時に、被写体に関する映像情報及び／又は音声情報の編集をより少労力で短時間に効果的に実行可能な被写体情報編集システムを提供することを目的とする。
また、他の目的としては、被写体に関する優先順位を考慮しながら、適切な順序に従って映像情報及び／又は音声情報を編集可能として、披露宴や会議の出席者に対して失礼になったり後味の悪い編集とならない質の高い編集を実行可能な被写体情報編集システムを提供するものである。
【課題を解決するための手段】
【０００７】
上記目的を達成するため、請求項１記載の発明である被写体情報編集システムは、予め被写体に設けられた認証情報発生手段と、この認証情報発生手段から発せられる認証情報と前記被写体からの映像情報及び／又は音声情報を取得する情報取得手段と、前記認証情報をキーとして前記被写体に関する付帯情報を検索可能に予め格納する付帯情報データベースと、前記認証情報発生手段から発せられる認証情報をキーとして前記付帯情報データベースから前記被写体に対応する付帯情報を抽出する付帯情報処理部と、前記付帯情報処理部で抽出された前記被写体に対応する付帯情報を前記被写体からの映像情報及び／又は音声情報に結合させた結合情報を生成する情報結合部と、前記結合情報を予め定めた配置にして出力可能なように前記結合情報を編集する情報編集部と、前記編集された結合情報を出力する出力部とを有し、前記被写体に関する優先順位情報を格納するデータベースを備え、前記情報編集部は、前記被写体に設けられた認証情報発生手段から発せられる認証情報をキーとして前記データベースから抽出された前記被写体に対応する優先順位情報に基づいて前記結合情報の配置順序を編集するものである。
上記構成の被写体情報編集システムでは、予め被写体に設けられた認証情報発生手段から発せられる認証情報が、その被写体に関する付帯情報を検索するための検索キーとして作用し、情報結合部は、その付帯情報を被写体からの映像情報及び／又は音声情報に結合させるという作用を有する。さらに、情報編集部は、結合情報を予め定めた配置にして出力可能なように結合情報を編集するという作用を有する。また、情報編集部が、被写体に対応する付帯情報を被写体からの映像情報及び／又は音声情報に結合させて結合情報を生成するだけでなく、その被写体に対応する優先順位情報に基づいて結合情報の配置順序を編集するという作用を有する。
【０００９】
請求項２に記載の発明である被写体情報編集システムは、請求項１に記載の発明において、前記聴覚を刺激する聴覚効果情報を格納する聴覚効果情報データベースを備え、前記情報編集部は、前記聴覚効果情報データベースから前記聴覚効果情報を読み出して前記聴覚効果情報を前記被写体からの映像情報及び／又は音声情報若しくは前記結合情報に挿入することを特徴とするものである。
上記構成の被写体情報編集システムでは、情報編集部が、被写体に対応する付帯情報を被写体からの映像情報及び／又は音声情報に結合させて結合情報を生成するだけでなく、聴覚効果情報を結合情報に挿入するという作用を有する。
【００１０】
さらに、請求項３に記載の発明である被写体情報編集システムは、請求項１又は請求項２に記載の発明において、前記視覚を刺激する視覚効果情報を格納する視覚効果情報データベースを備え、前記情報編集部は、前記視覚効果情報データベースから前記視覚効果情報を読み出して前記視覚効果情報を前記被写体からの映像情報及び／又は音声情報若しくは前記結合情報に挿入することを特徴とするものである。
上記構成の被写体情報編集システムでは、情報編集部が、被写体に対応する付帯情報を被写体からの映像情報及び／又は音声情報に結合させて結合情報を生成するだけでなく、視覚効果情報を結合情報に挿入するという作用を有する。
【００１１】
請求項４に記載の発明である被写体情報編集システムは、請求項１乃至請求項３のいずれか１項に記載の発明において、前記情報取得手段で取得された前記認証情報及び前記被写体からの映像情報及び／又は音声情報を格納する映像・音声情報データベースを備えることを特徴とするものである。
上記構成の被写体情報編集システムにおいては、映像・音声情報データベースが認証情報及び被写体からの映像情報及び／又は音声情報を格納するという作用を有する。
【００１２】
請求項５に記載の発明である被写体情報編集システムは、請求項１乃至請求項４のいずれか１項に記載の発明において、前記情報取得手段から前記認証情報と前記被写体からの映像情報及び／又は音声情報を受信し、情報通信網に前記認証情報と前記被写体からの映像情報及び／又は音声情報を送信する送信手段と、この送信手段から前記情報通信網を介して前記認証情報と前記被写体からの映像情報及び／又は音声情報を受信する入力部を有することを特徴とするものである。
このように構成される被写体情報編集システムにおいては、情報取得手段で得られた認証情報と被写体からの映像情報及び／又は音声情報を、送信手段が情報通信網を介して入力部へ送信するように作用し、入力部が受信するように作用する。
【発明の効果】
【００１３】
本発明の請求項１記載の被写体情報編集システムでは、被写体を自由に撮影しても、その被写体の映像・画像から発せられる認証情報を取得することで被写体の確認を要することなく、短時間に省力可能でしかも容易かつ正確に被写体に関する付帯情報を検索しながら抽出することができる。また、この被写体に関する付帯情報を被写体からの映像情報及び／又は音声情報に結合することができるので、その映像情報等に示される被写体との関連を極めて正確に明示することができる。結合された結合情報は、情報編集部によって予め定められた配置にして出力可能なように編集されて出力部から出力されるので、付帯情報とその映像情報に示される被写体との関係を、所望の配置として予め定めておくことで、所望の形態、様式で受け入れることが可能である。
特に、被写体を撮影して間もなくその撮影した映像や画像をその場で上映などを行う場合や、被写体に関する情報の鮮度などを維持するために、撮影した時刻とその映像や画像を用いるまでの時刻に差がないような場合において、編集時間を極端に短縮することが可能である。
また、被写体の編集時に被写体の重要性に鑑みて優先順位を付しながらその結合情報の配置順序を編集することができるため、被写体に重きが存在する場合などに効果的な編集を施すことが可能である。
【００１５】
本発明の請求項２に記載の被写体情報編集システムでは、請求項１に記載の発明の効果に加えて、人の音声や動物の鳴き声、効果音、バックグラウンドミュージックなどの聴覚に訴える効果を結合情報に付加することができるという効果を有する。
【００１６】
本発明の請求項３に記載の被写体情報編集システムにおいては、請求項１又は請求項２に記載の発明の効果に加えて、静止画や動画などを結合情報と同時に出力することができたり、これらを背景に使用することで結合情報の上映などの際には装飾的な効果を発揮することもできるという効果を有する。
【００１７】
本発明の請求項４に記載の被写体情報編集システムでは、請求項１乃至請求項３のいずれか１項に記載の発明の効果に加えて、被写体が発する認証情報及び被写体からの映像情報及び／又は音声情報を格納することが可能である。
【００１８】
本発明の請求項５に記載の被写体情報編集システムにおいては、請求項１乃至請求項４にいずれか１項に記載の発明の効果に加えて、送信手段を備えることで、被写体を撮影する場所から遠方に離れた場所で、結合情報に編集することができる。また、聴覚効果情報や視覚効果情報に関する編集を行うことができる場合にも、被写体を撮影する場所から離隔された場所にて行うことが可能であり、被写体が存在する場所が手狭な場合などに省スペース化を図ることもできる。
【発明を実施するための最良の形態】
【００１９】
以下に、本発明の最良の実施の形態に係る被写体情報編集システムについて図１乃至図１４を参照しながら説明する。
【００２０】
図１は、本発明の第１の実施の形態に係る被写体情報編集システムの概念図であり、図２は本発明の実施の形態に係る被写体情報編集装置の構成図である。本実施の形態では、被写体情報編集システムを結婚式の披露宴におけるビデオ撮影に用いる場合について説明する。
図１において、第１の実施の形態に係る被写体情報編集システム１は、被写体情報編集装置１ａを中心として、新郎・新婦やその親族をはじめ来賓者などの被写体６に設けられる個人認証情報発生手段８０と、被写体６から発せられる披露宴会場での映像・音声情報７及び個人認証情報８を取得するための手段として本実施の形態ではマイク９ａを備えたビデオカメラ９を備えている。ここで、映像・音声情報７とは、被写体６がしゃべっている声や楽器などから発せられる音、さらに、その様子を表す表情や周囲の状態に関する映像を意味している。
被写体情報編集装置１ａは、映像・音声情報７や個人認証情報８を入力する入力部２と、入力部２から入力された情報（データ）を処理するための演算部３と、映像・音声情報７や個人認証情報８あるいは処理されて新たに生成される情報を格納するためのデータベース５と、映像・音声情報７や個人認証情報８あるいは新たに生成された情報を外部に出力したり、表示したりするための出力部４を備えている。なお、本願明細書及び特許請求の範囲においては、「情報」と「データ」をほぼ同義に用いるが、情報はその意味・内容に重きを置く呼び方であり、データはその形式・性質に重きを置く呼び方である。例えば、映像に関して情報という場合には、その映像が何をどのような状況で映したものであるかなど被写体について問題とする一方、データという場合には例えば２値化されたデジタルデータ自身を意味する。
【００２１】
本実施の形態に係る被写体情報編集システム１は、被写体６を、情報取得手段としてマイク９ａを備えたビデオカメラ９において撮影することで被写体に関する映像・音声情報７を取得するが、その際に、予め被写体６に設置された個人認証情報発生手段８０から発せられる個人認証情報８をも同時にビデオカメラ９によって撮像して取得するものである。個人認証情報発生手段８０としては、例えばバーコードなどの一次元コードやＱＲコード（株式会社デンソーウェーブの登録商標）などの二次元コードが考えられる。また、この他にも無線ＩＣタグやマイクロチップなどが考えられる。このような場合には、情報取得手段として、マイク９ａやビデオカメラ９に加えて、これら無線ＩＣタグやマイクロチップなどから発せられる個人認証情報を信号として受信可能な装置を別途備えておく必要がある。
マイク９ａ付のビデオカメラ９で取得された映像・音声情報７及び個人認証情報８は、被写体情報編集装置１ａの入力部２から入力される。入力部２において入力された映像・音声情報７及び個人認証情報８は、演算部３において処理されるが、その処理内容については、図２を参照しながら後述する。
データベース５には、演算部３による処理に用いられるデータが予め格納されており、また、データベース５の中には入力部２によって入力される映像・音声情報７及び個人認証情報８を格納するものや処理後のデータを格納するものもある。
【００２２】
演算部３によって処理された映像・音声情報７及び個人認証情報８や処理後に得られる情報は、出力部４を介して披露宴会場に設けられたプロジェクター１３からスクリーン１４に投影される。
なお、出力部４から映像・音声情報７及び個人認証情報８を遠隔施設１１に設けられた遠隔データベース１２に格納するようにして被写体情報編集装置１ａに備えられるデータベース５を少なくしたり、廃止してもよい。もちろん、遠隔データベース１２には映像・音声情報７及び個人認証情報８の他、演算部３における演算や情報の処理に用いられるデータを格納するようにしてもよいし、演算部３からの出力を格納するようにしてもよい。遠隔施設１１へのアクセスは、インターネット１０や電話回線などの情報通信網を用いることによって実現される。披露宴会場などが狭い場合には、遠隔操作によって、得られた映像・音声情報７や個人認証情報８を他の場所で編集などを行うためにデータを転送することができれば、省スペース性を確保することができる。また、複数の施設で同時に披露宴が開催されるような場合に、映像・音声情報７や個人認証情報８を編集センターなどで集中的に編集するような場合においては、省スペース化の他に省力化や作業の短期化等が期待できる。
また、本実施の形態では、出力部４を介してプロジェクター１３を用いて上映するように構成されているが、出力部４からインターネット１０を介して、このインターネット１０に接続されるパーソナルコンピュータ（図示せず）において演算部３によって処理された情報（データ）を受信して視聴できるように構成してもよいことは言うまでもない。
【００２３】
図２において、被写体情報編集装置１ａは、前述のとおり入力部２、演算部３、出力部４及びデータベースから構成されている。図１に示されるデータベース５は複数に小分けして、聴覚効果情報データベース１５、視覚効果情報データベース１６、結合情報データベース１７、個人認証情報データベース１９、個人付帯情報データベース２０及び映像・音声情報データベース２１として設けられている。
【００２４】
まず、これらのデータベースの内容について説明する。
図３は、本実施の形態に係る聴覚効果情報データベースの内容を示す概念図である。図３に示されるとおり、聴覚効果情報データベース１５は、編集された結合情報に対して挿入される聴覚的な効果情報を格納したデータベースであり、披露宴の会場に結合情報を放映する際に用いられるバックグラウンドミュージック３０や効果音３１、また、披露宴関係者が入力した音楽３６など関係者の嗜好によってオリジナルに持ち込まれた音源などがデータとして格納されている。その他には、来賓者のメッセージ３２、新郎・新婦のメッセージ３３、新郎・新婦の親族のメッセージ３４、欠席者のメッセージ３５などの音声に関する情報がデータとして格納されている。
【００２５】
図４は、本実施の形態に係る視覚効果情報データベースの内容を示す概念図である。図４に示されるとおり、視覚効果情報データベース１６は、編集された結合情報に対して挿入される視覚的な効果情報を格納したデータベースであり、背景映像・画像４０をはじめとして、来賓者の映像・画像４１、新郎・新婦の映像・画像４２、新郎・新婦の親族の映像・画像４３、欠席者の映像・画像４４など予め用意して格納される披露宴の関係者の映像や画像がデータとして格納されている。なお、本願においては、映像は動画を意味し、画像は静止画を意味して分けて用いている。
さらに、視覚効果情報データベース１６には、いわゆるキャラクター映像・画像４５やＣＧイメージ映像・画像４６、あるいは風景・物体映像・画像４７などの装飾的な目的を持った映像や画像がデータとして格納されている。
【００２６】
図５は、本実施の形態に係る個人付帯情報データベースの内容を示す概念図である。図５において、個人付帯情報データベース２０は、披露宴に出席して被写体６となる関係者に、例えば、個人Ａ、個人Ｂ、個人Ｃ、個人Ｄが存在していたとした場合に、その個人ＡのＩＤ８ａと、個人Ａの付帯情報５１ａを関連付けて格納するデータベースである。この個人Ａの付帯情報５１ａは、図５に示されるとおり、個人Ａの名前５２ａ、個人Ａと新郎・新婦との関係５３ａ及び個人Ａのメッセージ５４ａという３種類のデータから構成されている。個人Ｂ乃至Ｄに対しても図５に符号をそれぞれ付して示しているが、個人Ａに関する説明と同様であるので、個人Ｂ乃至Ｄに関する説明は省略する。また、これらのデータについては、基本的には披露宴に参加する出席者、来賓者のすべてに対して格納しておくことが望ましい。
付帯情報は、披露宴の出席者に関係する情報であれば、特に限定するものではないが、例えば、上記のような氏名、新郎・新婦との関係、メッセージなどに加えて、趣味や現住所などの文字情報、あるいは似顔絵や記念写真のような画像情報又は予め撮影しておいた映像情報、さらには、新郎新婦から個人へ贈られたメッセージなどであってもよい。さらに、付帯情報として、新郎・新婦との関係に関連して、後述する映像・音声編集部２２による結合情報の編集時に用いる編集の優先順位に関する情報を格納しておくと、編集時に個人あるいは団体として結合情報の配置を検討する際に、順序をつけることも容易に可能である。
以上、個人付帯情報データベース２０の内容について説明したが、ここでは、これらのデータの構成のみを説明し、これらの付帯情報の活用方法については後述する。
【００２７】
図６は、本実施の形態に係る映像・音声情報データベースの内容を示す概念図である。図６において、図５と同様に、披露宴会場に個人Ａ、個人Ｂ、個人Ｃ、個人Ｄが出席していたとした場合に、披露宴で被写体６としてマイク９ａ付のビデオカメラ９を用いて撮影した際に得られる映像・音声情報５５，５６を格納している様子を示すものである。
映像・音声情報に関するデータは、上から時系列的に格納されており、個人Ａを撮影し、その後に個人Ｂを撮影し、その後に個人Ｃと個人Ｄを団体として同時に撮影した場合のデータの格納状況を示している。従って、個人Ａでは、個人ＡのＩＤ８ａと個人Ａの映像７ａ１と個人Ａの音声７ａ２が映像・音声情報５５のデータとして映像・音声情報データベース２１に格納されており、個人Ｃと個人Ｄでは、同時にビデオカメラ９で撮影されているため、独立した個人ＣのＩＤ８ｃと個人ＤのＩＤ８ｄが映像・音声情報５６に同様に含まれており、個人Ｃと個人Ｄが同時に撮影されているため、団体ＣとＤの映像７ｃ１及び団体ＣとＤの音声７ｃ２のデータとして格納されている。なお、図６に示されるとおり、個人Ｂについても個人Ａと同様に、個人ＢのＩＤ８ｂ、個人Ｂの映像７ｂ１及び個人Ｂの音声７ｂ２が映像・音声情報のデータとして格納されている。
【００２８】
次に、図７は、本実施の形態に係る個人認証情報データベースの内容を示す概念図である。図７に示されるとおり、この個人認証情報データベース１９は、例えば個人Ａ乃至Ｄに対して、個人ＡのＩＤ８ａと個人Ａの名前５２ａ、個人ＢのＩＤ８ｂと個人Ｂの名前５２ｂ、個人ＣのＩＤ８ｃと個人Ｃの名前５２ｃ、個人ＤのＩＤ８ｄと個人Ｄの名前５２ｄを対応付けてデータとして格納しているものである。すなわち、予め披露宴に出席する予定の被写体６に対して、個人認証情報発生手段８０を付す際に、どの個人認証情報発生手段８０から発せられる個人認証情報がどの個人を示しているのかをデータとして格納しておくものである。この個人認証情報データベース１９を検索することで、各々の個人用に振られたＩＤに対して、どの個人が対応しているかを認識することが可能である。
図５を参照しながら説明したとおり、個人の名前を付帯情報に加えることによれば、図７に示す個人認証情報データベース１９自体は必ずしも必要ではないが、特に、個人の名前と個人のＩＤのみを対応させたデータベースを設けておくことで、個人のＩＤと個人の名前間での検索を容易としたり、出力部４などを利用したチェックを容易とするものである。
【００２９】
図８は、本実施の形態に係る結合情報データベースの内容を示す概念図である。図８において、結合情報データベース１７に格納されている個人結合情報５７あるいは団体結合情報５８は、図６に示される映像・音声情報５５，５６と、図５に示される個人Ａ〜Ｄの付帯情報５１ａ〜５１ｄが結合した状態のもので、その結合した情報をデータとして格納している。
個人結合情報５７では、個人Ａについて個人ＡのＩＤ８ａ、個人Ａの映像７ａ１及び個人Ａの音声７ａ２という映像・音声情報５５が、個人Ａの付帯情報５１ａと結合しており、団体結合情報５８では、個人ＣのＩＤ８ｃと個人ＤのＩＤ８ｄ、団体ＣとＤの映像７ｃ１、団体ＣとＤの音声７ｃ２という映像・音声情報５６が、個人Ｃの付帯情報５１ｃ及び個人Ｄの付帯情報５１ｄと結合している。
この個人結合情報５７及び団体結合情報５８も図６に示される映像・音声情報５５，５６と同様に、上から時系列的にデータとして格納されている。
以上、データベース１５〜１７，１９〜２１について説明した。
【００３０】
次に、図９乃至図１３をも参照しながら、図２に示される本実施の形態に係る被写体情報編集装置１ａと被写体情報編集システム１について説明する。
図９は、本実施の形態に係る被写体情報編集システムにおいて実行される情報処理方法の工程を示す概念図であり、図１０は、図９に示される情報処理方法の工程に映像・音声編集部２２によって実行される聴覚効果情報データベース１５あるいは視覚効果情報データベース１６から情報を抽出して結合情報に挿入する場合の工程を追加した場合の概念図である。
図９，１０において、披露宴会場では、新郎・新婦をはじめとして、親族や親戚、来賓者が出席している。その会場でカメラマンは披露宴の様子を撮影するが、予め図１に示されるように出席者それぞれ個別に、個人認証情報発生手段８０を付けることとしておき、その個人認証情報発生手段８０から発せられる個人認証情報８をもビデオカメラ９によって撮影する（ステップＳ１）。
【００３１】
図１１は、このステップＳ１で実施される個人認証情報８と映像・音声情報７の撮影の状況を示す概念図である。図１１に示すとおり、撮影者６３は、披露宴に出席している例えば個人Ｃ６２ｃと個人Ｄ６２ｄをマイク９ａ付のビデオカメラ９で撮影している。個人Ｃ６２ｃの胸には個人ＣのＩＤコード６１ｃが設置されており、個人Ｄ６２ｄの胸にも個人ＤのＩＤコード６１ｄが設置されている。
個人ＣのＩＤコード６１ｃ及び個人ＤのＩＤコード６１ｄは、それぞれ独立に個人Ｃ６２ｃと個人Ｄ６２ｄを認識するための個人認証情報発生手段８０から発せられる個人認証情報８である。この個人ＣのＩＤコード６１ｃ及び個人ＤのＩＤコード６１ｄは、それぞれ前述のとおり、バーコードのような一次元コードでもよいし、ＱＲコードのような二次元コードでもよい。これらのコードは、撮影者６３による撮影時に個人Ｃ６２ｃや個人Ｄ６２ｄと同時にビデオカメラ９によって撮影されて、認識されながら取得される必要がある。
なお、本実施の形態において、個人認証情報発生手段８０は、個人ＣのＩＤコード６１ｃや個人ＤのＩＤコード６１ｄを発するためのハードウェア的な意味合いとして用い、個人認証情報８は、その個人認証情報発生手段８０から発せられる信号的なもの（あるいはソフトウェア的なもの）を意味する。具体的には、個人認証情報発生手段８０は合成樹脂製あるいは紙製のフィルム状あるいはプレート状のものや、無線ＩＣタグやマイクロチップなどを意味し、個人認証情報８は、発せられる個人を認証可能な情報そのもの、あるいはその情報を信号化したもの又はその情報に関するデータあるいは情報を信号として伝送する電磁波などを意味する。
なお、個人認証情報発生手段８０として、その被写体６の名前を付す箇所を備えたものとすれば、編集された映像をモニターなどで確認をする際に、正確性をより高めることが可能である。
【００３２】
マイク９ａ付のビデオカメラ９によって収録された映像・音声情報７及び個人認証情報８は、図２に示されるとおり、被写体情報編集装置１ａの入力部２を介して、映像・音声情報データベース２１に格納される。映像・音声情報データベース２１に格納されたデータの状況は、既に図６を参照しながら説明したとおりである。なお、入力部２としては、ビデオカメラ９等、被写体情報編集装置１ａに対して映像・音声情報７や個人認証情報８を入力するためのインターフェースであれば、特に限定するものではなく、接続端子や電磁波の受信部をはじめとして、タッチセンサ付の画面やキーボード等が具体例として挙げられる。もちろん、これらの組み合わせたものを入力部として概念してもよい。
【００３３】
図９，１０に戻って、ステップＳ２では、撮影された個人映像に含まれる個人認証情報に関するデータをキーとして、この個人の付帯情報に関するデータを抽出する。
入力部２によってビデオカメラ９から被写体情報編集装置１ａに取り込まれる映像・音声情報７と個人認証情報８のうち、個人認証情報８は、個人認証情報処理部２３によって個人ＣのＩＤコード６１ｃ及び個人ＤのＩＤコード６１ｄが読み取られ、それぞれ個人ＣのＩＤ８ｃと個人ＤのＩＤ８ｄとして認識しながら個人認証情報処理部２３はそれらをデータとして生成する。
この個人認証情報処理部２３によって生成された個人ＣのＩＤ８ｃと個人ＤのＩＤ８ｄは、そのまま個人認証情報８に関するデータとして書き込まれ、映像・音声情報７と共に映像・音声情報データベース２１にデータとして格納される。
次に、個人付帯情報処理部２４は、この個人認証情報処理部２３で処理された個人認証情報８に関するデータ、すなわち、個人ＣのＩＤ８ｃと個人ＤのＩＤ８ｄをキーとして、個人付帯情報データベース２０に格納されている個人Ｃの付帯情報５１ｃ及び個人Ｄの付帯情報５１ｄに関するデータを検索して、これらを抽出する。個人付帯情報処理部２４は、その際に映像・音声情報データベース２１にアクセスして格納されている映像・音声情報５６を読み出して、これに含まれる個人ＣのＩＤ８ｃ及び個人ＤのＩＤ８ｄを用いてもよいし、入力部２を介して被写体情報編集装置１ａに取り込まれた後に、個人認証情報処理部２３でＩＤコードを読み取ってＩＤが生成された個人認証情報８を含む映像・音声情報７から、個人ＣのＩＤ８ｃ及び個人ＤのＩＤ８ｄを用いて直接処理するようにしてもよい。
【００３４】
次に、図９，１０のステップＳ３について説明する。
ステップＳ３では、図２に示される演算部３の情報結合部２５が、個人付帯情報処理部２４によって抽出された個人Ｃの付帯情報５１ｃ及び個人Ｄの付帯情報５１ｄに関するデータと、先の映像・音声情報７及び個人認証情報８に関するデータと結合させる工程である。
映像・音声情報７及び個人認証情報８に関するデータは、映像・音声情報データベース２１から読み出して結合させてもよいし、入力部２から個人認証情報処理部２３を経て得られた映像・音声情報７及び個人認証情報８に関するデータであって、映像・音声情報データベース２１に格納される以前のものを用いて結合させてもよい。情報結合部２５における情報の結合は、個人認証情報８に関するデータをキーとして、個人認証情報８を含む映像・音声情報７に関するデータと、個人認証情報８を含む付帯情報に関するデータを結合させるものである。
このようにして得られた結合情報は、情報結合部２５によって結合情報データベース１７に格納される。図８を用いて既に説明したとおり、団体結合情報５８は、個人ＣのＩＤ８ｃ及び個人ＤのＩＤ８ｄ、団体ＣとＤの映像７ｃ１と団体ＣとＤの音声７ｃ２に加えて、個人Ｃの付帯情報５１ｃ及び個人Ｄの付帯情報５１ｄが結合されている。
【００３５】
図９のステップＳ４では、披露宴の出席者のうち、任意の複数の個人あるいは団体に関する結合情報の編集を行うが、この作業は図２の被写体情報編集装置１ａにおいては、映像・音声編集部２２が実行する。
ここで、映像・音声編集部２２が実行する編集作業について図１２を参照しながら説明する。図１２の（ａ）及び（ｂ）は、本実施の形態に係る被写体情報編集システムの映像・音声編集部が編集を行うために用いられる編集データエリアを示す概念図である。本実施の形態における編集とは、図１２（ａ）に示されるような編集データエリア６４に対して、結合情報に含まれる個々の情報を割り当てる作業を意味している。
編集データエリア６４は、出力部４を介してプロジェクター１３から出力される映像の配置を所望にするために、結合情報に含まれる個々の情報を編集するためのエリアを示すものである。また、映像エリア６５は、映像・音声情報７のうち、映像に関する情報を投影するためのエリアを概念して、ここに投影される映像データ、すなわち、本実施の形態では、図８に示される団体ＣとＤの映像７ｃ１を映像・音声編集部２２が配置したものである。もちろん、図１２（ａ）に示される映像エリア６５は、結合情報を映像として投影する際の配置の状態を示すものであるので、編集データエリア６４内のデータそのものがこのような構造を備えている必要はないが、データ配置の説明の便宜のために示しているものである。編集データエリア６４は、映像・音声編集部２２に予め設定可能なように格納されておいてもよいし、別途データベースに格納されていてもよい。
第１付帯情報エリア６６ｃと第２付帯情報エリア６６ｄの両方が設けられているのは、映像エリア６５に示される映像が個人ではなく、団体の場合に、１つの映像（団体ＣとＤの映像７ｃ１）に対して、個人のＩＤに対応させて、個人Ｃの付帯情報５１ｃと個人Ｄの付帯情報５１ｄを表示する必要があるためである。したがって、本実施の形態では、第１付帯情報エリア６６ｃと第２付帯情報エリア６６ｄの２段に分けて設けているものの、団体が２人以上の団体までも考慮する場合には、適宜、その段数を増やして設けておくことが望ましい。
第１氏名エリア６７ｃと第２氏名エリア６７ｄも付帯情報エリアと同様に、団体を考慮して、それぞれの個人のＩＤに対応させて、それぞれの氏名を表示する必要があるため２段に設けてある。２人以上の団体を考慮する場合も付帯情報と同様である。
第１メッセージエリア６８ｃと第２メッセージエリア６８ｄも付帯エリアと同様に団体を考慮して、それぞれの個人のＩＤに対応させて、それぞれのメッセージを表示する必要があるため２段に設けてある。２人以上の団体を考慮する場合も付帯情報と同様である。
【００３６】
このように編集データエリア６４は、結合情報を映像として投影する際に、スクリーンなどにどのように映されるか、所望の形態、様式として予め設定しておく必要がある。例えば、図１２（ａ）に示されるように、スクリーンに投影した際に、左半分に映像エリア６５が配置され、右半分に２段に分けて付帯情報エリア６６ｃ，６６ｄ、氏名エリア６７ｃ，６７ｄ、メッセージエリア６８ｃ，６８ｄが配置されるなどの形態、様式である。編集データエリア６４のフォーマットを予め設定しておくことで、映像・音声編集部２２は、結合情報に含まれる個々の情報の特性を認識して、その個々の情報毎にその編集データエリア６４内の所定に配置していくのである。
【００３７】
図１２（ｂ）は、編集データエリア６４のうち、視覚・聴覚効果情報エリア６９となるものを示す概念図であるが、この視覚・聴覚効果情報エリア６９は、映像・音声編集部２２が、先に図３を参照しながら説明した聴覚効果情報データベース１５からバックグラウンドミュージック３０や効果音３１などの修飾効果的な音や、予め録音された来賓者のメッセージ３２や新郎・新婦のメッセージ３３などの声を適宜選択抽出して、この編集データエリア６４に配置するものである。
また、同様に図４を参照しながら説明した視覚効果情報データベース１６から背景映像・画像４０やＣＧイメージ映像・画像４６などの修飾効果的な映像・画像や、特に予め撮影された披露宴の欠席者の映像・画像４４や新郎・新婦の親族の映像・画像４３などの映像・画像を適宜選択抽出して編集データエリア６４に配置するものである。これらの工程が、図１０にステップＳ４−１及びステップＳ４−２である。これらの編集データエリア６４への聴覚効果情報データベース１５や視覚効果情報データベース１６からのデータ配置は、映像・音声編集部２２を用いて編集される個人結合情報５７や団体結合情報５８の合間に挿入されることになる。
なお、図４を参照しながら説明した際には言及していなかったものの、視覚効果情報データベース１６に格納されるデータとしては、絵図としての文字情報が含まれていてもよい。
【００３８】
図１０に示されるステップＳ４−３は、図９に示されるステップＳ４と同様である。また、図１０では、ステップＳ４−２とステップＳ４−３を別個に示しているが、これを同時に行うようにしてもよい。
この映像・音声編集部２２における結合情報の編集に際しては、入力部２から編集のための指令を入力可能にしておくとよい。
映像・音声編集部２２では、個人結合情報５７や団体結合情報５８などの結合情報の順序も入れ替えることができるようになっており、その際には、出力部４としてモニターを備えて、編集するようにしておくとよい。結合情報データベース１７に格納されている、あるいは映像・音声編集部２２からの出力であって、まだ結合情報データベース１７に格納する前の段階の結合情報を用いて、個人に関する個人結合情報５７や、複数の個人が写っている状態で得られた団体結合情報５８の順序などを自由に変更することができる。
モニターを見ながらの編集以外に、映像・音声編集部２２の機能として、個人ＡのＩＤ８ａや個人ＢのＩＤ８ｂなどのＩＤをキーとして、順序を編成可能としてもよい。予め、個人のＩＤをキーとして優先順位に関するデータを個人認証情報データベース１９あるいは結合情報データベース１７に格納しておき、映像・音声編集部２２によって個人のＩＤをキーとして優先順位に関するデータを読み出して、この優先順位に関するデータを基準として、個人のＩＤを介して個人結合情報５７や団体結合情報５８の配置順序を組み替えるように機能させるのである。
【００３９】
また、優先順位を個人付帯情報データベース２０に付帯情報として格納しておいてもよい。付帯情報として含めておけば、個人結合情報５７や団体結合情報５８の付帯情報の中に優先順位に関するデータも含まれるので、その優先順位に関するデータを基準として、個人結合情報５７や団体結合情報５８の配置順序を組み替えるようにすることも可能である。この場合には、優先順位に関するデータは、直接個人のＩＤをキーとして抽出されるわけではないものの、元々付帯情報の抽出時に、個人付帯情報処理部２４によって個人のＩＤをキーとして優先順位に関するデータを含めて抽出されるものである。
このように映像・音声編集部２２に、個人のＩＤをキーとした優先順位を基準に個人結合情報５７や団体結合情報５８のソートが可能であれば、編集時間の省力化や短時間化を図ることが可能であると同時に、来賓者に序列がある場合に、上位の来賓者に対して失礼のないような効果的な編集が可能となる。もちろん、編集の順序は、被写体６の人的な序列の他にも、予め編集順序を考えて、新婦側の来賓から新郎側の来賓、それぞれの親族などをまとめて編集するというような場合に付す優先順位もあり、適宜設定を可能とするものである。優先順位は、昇順あるいは降順など、適宜設定しておくとよい。
【００４０】
さらに、図５を用いて個人付帯情報データベース２０を説明した際に説明したとおり、個人のＩＤをキーとするのではなく、付帯情報として優先順位に関する情報を備えておくと、その優先順位に基づいて、個人結合情報５７や団体結合情報５８の順序をソーティングすることも可能となる。団体結合情報５８において、それぞれの個人に関する優先順位に関する情報が存在する場合には、平均値を演算して処理するか、あるいはいずれか高い方の優先順位の情報を採用するあるいは低い方の優先順位の情報を採用するなど一定の採用方法を予め映像・音声編集部２２に格納して含ませておくとよい。
このようにして更なる編集時間の省力化や短時間化を図ることができると共に、来賓者の順序を間違えることなく、失礼な編集とはならず、披露宴の思い出を新郎新婦はもちろんのこと来賓者への細やかな心配りを含めて大切に編集することができる。
【００４１】
次に、図９及び図１０のステップＳ５について説明する。
ステップＳ５では、編集された結合情報を、出力部４を用いてプロジェクター１３などに出力し、スクリーン１４に投影するものである。出力部４は、入力部２と同様に、接続端子や電磁波の送信部をはじめとして、前述のとおりタッチセンサ付のモニター画面等が具体例として挙げられる。もちろん、これらの組み合わせたものを出力部として概念してもよい。
図１０に示す実施の形態においては、聴覚効果情報や視覚効果情報の編集もなされているため、聴覚効果情報データベース１５や視覚効果情報データベース１６に含まれるメッセージや映像・画像を効果音あるいは背景として活用した状態で、披露宴会場においてより効果的に用いることが可能である。
ステップＳ５に示される工程の状況を具体的に示したものが図１３である。図１３は、本実施の形態に係る被写体情報編集システムを用いて、結合情報を上映している状況を示す概念図である。
スクリーン１４上に、映像エリア６５に団体ＣとＤの映像７ｃ１が、第１付帯情報エリア６６ｃと第２付帯情報エリア６６ｄに個人Ｃと新郎・新婦との関係５３ｃと個人Ｄと新郎・新婦との関係５３ｄに関する情報が、第１氏名エリア６７ｃと第２氏名エリア６７ｄに個人Ｃの名前５２ｃと個人Ｄの名前５２が、第１メッセージエリア６８ｃと第２メッセージエリア６８ｄに個人Ｃのメッセージ５４ｃと個人Ｄのメッセージ５４ｄがそれぞれ投影されている。
この様な構成は、図１２（ａ）を参照しながら説明したとおりである。
【００４２】
予め、図１３に示されるような配置として投影されるように映像・音声編集部２２で編集しているため、このように投影されるものであるが、その際の編集時に、結合情報を用いているため、迅速かつ正確に編集が可能となっている。
結合情報は、そもそも映像・音声情報７に個人認証情報８を含めた情報をマイク９ａ付のビデオカメラ９で撮影しており、この個人認証情報８をキーとして、披露宴の出席者に関する付帯情報を検索して抽出して、映像・音声情報７及び個人認証情報８と結合させて得られるものであるため、その作業には人手が不要であり、披露宴という限られた時間内に迅速かつ正確に映像・音声情報７の編集が可能となるのである。
披露宴会場への出席者に予め個人認証情報８を発する個人認証情報発生手段８０を付けておいてもらい、ビデオカメラ９で被写体となる出席者を撮影することで、出席者に関する映像・音声情報７と同時に個人認証情報８を撮影することが可能である。その個人認証情報８を得ることで、その被写体を認識して、その被写体に付帯する情報を個人付帯情報データベース２０から抽出して映像・音声情報７や個人認証情報８と結合させることで、あたかも撮影者６３が被写体たる出席者の各々の氏名や付帯する情報について認識しているかのような演出をすることが短時間に可能なのである。
さらに、付帯情報と映像・音声情報が結合された状態で出力されると、あたかも映画やテレビドラマで放映されるような人物像と人的な付帯情報が同時に映し出される状態となり、よりインパクトの強いドラマ仕立てとなり、披露宴ではより大きな感動を演出することが可能となる。また、会議などでは、参加者とその付帯情報のつながりを端的に強調することが可能であるため、発言などの意味内容を付帯情報でより強く印象つけることが可能である。
しかも、個人認証情報８をキーとした優先順位を予め設定しておいたり、付帯情報に優先順位などの情報を格納しておくことによって、映像・音声編集部２２による編集時にもその優先順位を基づいて、個人結合情報５７や団体結合情報５８の編集順序としての優先順位を決定することが可能である。
よって、参列者や参加者の序列や編集者の意図する順序などが存在する場合には、より参列者や参加者あるいは編集者の意図に沿う編集が可能となる。
【００４３】
なお、本実施の形態においては、個人認証情報発生手段８０から発せられる個人ＣのＩＤコード６１ｃや個人ＤのＩＤコード６１ｄなどの個人認証情報８が、そのままＩＤとして利用できないこととして、個人認証情報処理部２３を設けて、コードからＩＤ、すなわちコンピュータ処理可能なデジタルデータを生成するようにしたが、このような変換を要せず、個人ＣのＩＤコード６１ｃや個人ＤのＩＤコード６１ｄをそのままデータとして利用できる場合には、別個に個人ＣのＩＤ８ｃや個人ＤのＩＤ８ｄを生成する個人認証情報処理部２３を設ける必要がなく、そのまま映像・音声情報７と個人認証情報８を格納したり、処理に用いてよい。
また、個人認証情報発生手段８０から発せられる個人ＣのＩＤコード６１ｃや個人ＤのＩＤコード６１ｄなどの個人認証情報８が、そのままＩＤとして利用できない場合に、個人認証情報処理部２３を設けてコードからコンピュータ処理可能なデジタルデータとしてのＩＤを生成するために、図１４に示すようなデータベースを用いてもよい。
【００４４】
図１４は、ＩＤコードをＩＤ記号として変換を行うためのデータベースの内容を示す概念図である。図１４のＩＤ変換データベース７５を用いて、例えば個人ＡのＩＤコード６１ａとは、一次元又は二次元の幾何学模様などのコードで、それ自身はデジタル値としてのＩＤではない場合に、これを個人認証情報処理部２３が読み取って、その個人ＡのＩＤコード６１ａをキーとして、デジタル値としてのＩＤである個人ＡのＩＤ記号７４ａを生成するのである。出席者が胸に付ける個人認証情報発生手段８０が、前述のような一次元のバーコードや二次元のＱＲコードのような場合に、個人認証情報発生手段８０から取得される個人ＡのＩＤコード６１ａなどは、それ自体は幾何学模様であるため、個人認証情報処理部２３がそれを読取り、このようなＩＤ変換データベース７５にアクセスして、個人ＡのＩＤコード６１ａをキーとして検索し、個人ＡのＩＤ記号７４ａを抽出して、これを個人ＡのＩＤ８ａとして、それ以降の処理では、この個人ＡのＩＤ８ａを用いて結合情報の生成などを実行するというものである。
本実施の形態においては、個人ＡのＩＤコード６１ａと個人ＡのＩＤ記号７４ａを例に説明したが、個人ＢのＩＤコード６１ｂと個人ＢのＩＤ記号７４ｂ、個人ＣのＩＤコード６１ｃと個人ＣのＩＤ記号７４ｃ、個人ＤのＩＤコード６１ｄと個人ＤのＩＤ記号７４ｄについても同様である。
また、個人認証情報発生手段８０として無線ＩＣタグやマイクロチップなどから伝送される電磁波に載せられる信号としての個人認証情報８が、そのままＩＤとして利用できない場合や利用できる場合も上記と同様に対応が可能である。
【００４５】
次に、第２の実施の形態に係る被写体情報編集システムについて図１５を参照しながら説明する。
図１５は、本発明の第２の実施の形態に係る被写体情報編集システムの概念図である。本実施の形態に係る被写体情報編集システム１ｂは、図１に示される第１の実施の形態に係る被写体情報編集システムとほぼ同一であるものの本実施の形態においては、被写体６から取得された映像・音声情報７及び個人認証情報８は、一旦送信装置７６及びインターネット１０を介して遠隔に設けられた被写体情報編集装置１ａの入力部２に入力されるように構成するものである。
被写体情報編集装置１ａにおける構成は第１の実施の形態に係る被写体情報編集システムと同一であるのでその構成や作用、効果の説明は省略する。
映像・音声情報７及び個人認証情報８を処理しながら得られた結合情報は、出力部４から入力とは逆に、インターネット１０を介して受信装置７７にて受信される。受信装置７７は、受信した情報をプロジェクター１３に送信して、第１の実施の形態と同様にスクリーン１４に投影することが可能であり、更にそのままスクリーン１４を見ることができない欠席者や遠方の方のために、インターネット上で公開することも可能である。なお、インターネット１０上で公開する場合には、インターネットに接続されたパーソナルコンピュータ（図示せず）を用いて受信して視聴できるようにするとよい。
【００４６】
以上、第１及び第２の実施の形態に係る被写体情報編集システムについて説明を行った。次に、被写体情報編集システムを同じく多人数が参加する会議において使用する第３の実施の形態について説明する。なお、本実施の形態においても、先の結婚式に披露宴で用いる場合とシステム構成は同じであり、図１乃至図１５はそのまま用いることができる。
国際会議などでは、多数国から多数の参加者があり、各国代表としてそれぞれ発言を行うことが多く、一人の代表者が複数回発表することもある。このような状況下で、会議の様子をまとめる議事録やその様子を収めたビデオ画像・映像などの編集も迅速に行うことが非常に困難であるが、本実施の形態に係る被写体情報編集システムを利用することによれば、ビデオカメラでそれぞれの出席者を撮影することによって認識することができ、編集も容易である。
このような会議の様子を収める場合には、図１や図１５に示される被写体情報編集システム１の構成はそのままでよいが、聴覚効果情報データベース１５の内容としては、バックグラウンドミュージック３０や効果音３１の他、欠席者のメッセージ３５等が同様に格納され、来賓者のメッセージ３２に代えて例えば会議への出席者の所属する法人や国家等の団体の代表者のメッセージ等が考えられる。また、視覚効果情報データベース１６としては、背景映像・画像４０や欠席者の映像・画像４４、ＣＧイメージ映像・画像４６や風景・物体映像・画像４７が格納され、それぞれ利用可能である。
【００４７】
個人付帯情報データベース２０では、披露宴で使用する場合と同様に、出席者それぞれのＩＤと付帯情報を対応付けた上で格納しておき、個人認証情報データベース１９においても同様に出席者のＩＤと名前を対応させて格納しておく。付帯情報としては、披露宴における利用時での個人と新郎・新婦との関係や個人のメッセージなどに代えて、出席者の所属団体やその団体での地位、予め表明している意見やメッセージの内容などが考えられる。
従って、図１３における第１付帯情報エリア６６ｃには、第１付帯情報７０ｃとして、例えば「株式会社Ａの代表取締役」が表示されたり、第１メッセージエリア６８ｃには、第１メッセージ７２ｃとして、例えば「今回の提案には条件付で賛成である。」旨表示される。同様に、第２付帯情報エリア６６ｄの第２付帯情報７０ｄとしては、例えば「財団法人Ｂの総務部長」が表示され、第２メッセージエリア６８ｄには第２メッセージ７２ｄとして、例えば「今回の提案には反対する。」旨の表示がされたりするものである。
【００４８】
会議への出席者は、それぞれ個人認証情報発生手段８０を胸等に付けて、マイク９ａ付のビデオカメラ９で撮影される。そして映像・音声情報７及び個人認証情報８を同時に取得して、被写体情報編集装置１ａにおいて情報（データ）が処理されるのである。その後の処理などは、先に説明した第１及び第２の実施の形態に係る被写体情報編集システムと同様である。
このように会議において被写体情報編集システムを用いることによっても、披露宴に用いる場合と同様の作用及び効果を発揮し得る。
なお、編集された結合情報の上映は、ホールやその会議室で上映される場合の他、出力部４から編集された結合情報を、そのままインターネット上で公開してインターネットに接続されるパーソナルコンピュータを用いて視聴できたり、ＣＤやＤＶＤ等の記録媒体に出力して格納した後、配布するなどして出席者各自やその所属する団体内で上映することも可能である。
【００４９】
次に、被写体情報編集システムを同じく生鮮食品をインターネットサイトなどで販売したり、広告したりする場合において使用する第４の実施の形態について説明する。なお、本実施の形態においても、先の結婚式に披露宴で用いる場合や会議で用いる場合とシステム構成は同じであるが、これまでの実施の形態とは異なり、被写体が人物ではなく生鮮食品となるので、「個人」という概念は「生鮮食品の単体」としての「商品」に相当し、「団体」という概念は「生鮮食品の集合物」、「生鮮食品の盛合せ」や「生鮮食品の箱詰」に相当するものとなる。但し、「生鮮食品の詰合せ」をはじめ、「生鮮食品の箱詰」そのものをそれ全体として単体として取り扱うような場合も現実にはあると考えられる。
【００５０】
以下、図１６乃至図２７を参照しながら、本実施の形態について説明する。図１６は、本発明の第４の実施の形態に係る被写体情報編集システムの概念図であり、図１７は本実施の形態に係る被写体情報編集装置の構成図である。本実施の形態では、前述のとおり被写体情報編集システムをインターネットサイトで生鮮食品等を販売するシステムに利用する場合である。
図１６においては、被写体６が生鮮食品となり、その生鮮食品に個人認証情報発生手段８０に代えて商品認証情報発生手段８０ａを設けるものであり、この商品認証情報発生手段８０ａから発せられる商品認証情報８１を被写体６からの映像・音声情報７と共にマイク９ａを備えたビデオカメラ９で取得するものである。その他の構成や作用、効果については、図１に記載される被写体情報編集システムと同様であるが、被写体情報編集装置１ａの出力部４から、映像・音声情報７や個人認証情報８あるいは新たに生成された情報を外部に出力するが、これはインターネット１０などの情報通信網を介してパーソナルコンピュータ８２を用いて行う生鮮食品販売のために供する情報として提供されるものである。商品認証情報発生手段８０ａは、先に図１を参照しながら説明した個人認証情報発生手段８０と同じものとして捉えることができる。入力部２、演算部３、出力部４、データベース５から構成される被写体情報編集装置１ａの作用や効果についても、既に図１を参照しながら説明したとおりである。遠隔施設１１に設けられる遠隔データベース１２についても同様である。なお、被写体６が人物ではなく、生鮮食品等の商品の場合には音声情報としては、あまり発せられない可能性も高いが、中には生きているペットなどが発する声や電化製品などの動作音等が発せられる可能性がある。
【００５１】
図１７は、第１の実施の形態における図２に相当するものである。構成はほぼ同一であるが、被写体が人物ではなく商品であるため、構成要素の名称がそれぞれ異なっている。具体的には、商品認証情報処理部８５、商品付帯情報処理部８６、商品認証情報データベース８３及び商品付帯情報データベース８４である。
これらは、図２で「個人」とあったものを「商品」としたものであり、それぞれの作用、効果は同様のものである。
【００５２】
次に、本実施の形態に係るデータベースの内容について図１８を参照しながら説明する。
図１８は、本実施の形態に係る聴覚効果情報データベースの内容を示す概念図である。第１の実施の形態に関する図３と同等であるが、本実施の形態に係る聴覚効果情報データベース１５では、生産者のメッセージ８７や流通担当者のメッセージ８８が格納されている。これは、商品に対する生産者や流通業者等の生の声を聴覚効果として格納しているものである。これらも編集された結合情報に対して挿入される聴覚的な効果情報として機能するものである。
【００５３】
図１９は、本実施の形態に係る視覚効果情報データベースの内容を示す概念図である。第１の実施の形態に関する図４と同等であるが、本実施の形態に係る視覚効果情報データベース１６は、生産者の映像・画像８９、流通担当者の映像・画像９０、生産現場の映像・画像９１及び流通現場の映像・画像９２が格納されている。これらも商品に対する生産者や流通業者が活動する現場の映像や画像が格納されている。これらも編集された結合情報に対して挿入される視覚的な効果情報として機能するものである。
【００５４】
図２０は、本実施の形態に係る商品付帯情報データベースの内容を示す概念図である。図２０において、商品付帯情報データベース８４は、インターネットサイトで販売される被写体６としての商品として、例えば、商品Ａ、商品Ｂ、商品Ｃ、商品Ｄが存在していたとした場合に、その商品ＡのＩＤ９３ａと、商品Ａの付帯情報９８ａを関連付けて格納するデータベースである。この商品Ａの付帯情報９８ａは、本実施の形態では、図２０に示されるとおり、商品Ａの名前９４ａ、商品Ａの生産者とメッセージ９５ａ及び商品Ａに関する情報９６ａという３種類のデータから構成されている。商品Ａに関する情報９６ａの具体例としては、商品Ａの価格、重量、個数、大きさや品質を表す規格や等級、生産地、生産時期、原産地などが挙げられる。また、生鮮食品であれば、それを用いた調理方法などのレシピを含めてもよい。
なお、入力部２によってビデオカメラ９から被写体情報編集装置１ａに取り込まれる映像・音声情報７と商品認証情報８１の他に、ビデオカメラ９から送信される撮影時期データを入力部２によって同時に取得して、商品認証情報処理部８５によって商品認証情報８１を用いて生成される商品のＩＤ（９３ａ〜９３ｄ）をキーとしながら、商品付帯情報処理部８６によって商品付帯情報データベース８４に付帯情報に関するデータとして格納するようにしてもよい。
このようにすることで、商品Ａに関する情報９６ａには、その商品がビデオカメラ９によって撮影された日時が含まれ、これを後で図２７を用いて説明するように、インターネット上で閲覧可能な状態にして、商品の情報説明エリアに商品Ａに関する情報として、撮影日時に関する情報を含めて表示して、閲覧を促すことも可能である。もちろん、ビデオカメラ９に撮影時期データを発信する機能がない場合などには、商品を撮影する際に日時に関する札や看板などを置いて画像として撮影してもよいし、別途撮影日付に関するデータを商品付帯情報データベース８４に付帯情報に関するデータとして入力部２を介して予め入力しておいてもよい。
なお、商品Ｂ乃至Ｄに対しても図２０に符号をそれぞれ付して示しているが、商品Ａに関する説明と同様であるので、商品Ｂ乃至Ｄに関する説明は省略する。また、これらのデータについては、基本的にはインターネット販売される商品のすべてに対して格納しておくことが望ましい。
付帯情報は、生鮮食品に関係する情報であれば、特に限定するものではない。また、付帯情報として、商品の名称に関連して、後述する映像・音声編集部２２による結合情報の編集時に用いる編集の優先順位に関する情報を格納しておくと、編集時に商品あるいは商品の盛合せとして結合情報の配置を検討する際に、順序をつけることも容易に可能であることは、披露宴や会議で用いられる場合と同様である。
以上、商品付帯情報データベース８４の内容について説明した。
【００５５】
図２１は、本実施の形態に係る映像・音声情報データベースの内容を示す概念図である。図２１において、図２０と同様に、販売対象である商品として、商品Ａ、商品Ｂ、商品Ｃ、商品Ｄが存在する場合に、生鮮市場やスタジオあるいは生産現場等で被写体６としてマイク９ａ付のビデオカメラ９を用いて撮影した際に得られる映像・音声情報５５，５６を格納している様子を示すものである。人物における「団体」は、前述のとおり、商品では盛合せや詰合せの概念となる。
映像・音声情報に関するデータは、上から時系列的に格納されており、商品Ａを撮影し、その後に商品Ｂを撮影し、その後に商品Ｃと商品Ｄを盛合せとして同時に撮影した場合のデータの格納状況を示している。従って、商品Ａでは、商品ＡのＩＤ９３ａと商品Ａの映像９７ａ１と商品Ａの音声９７ａ２が映像・音声情報５５のデータとして映像・音声情報データベース２１に格納されており、商品Ｃと商品Ｄでは、同時にビデオカメラ９で撮影されているため、独立した商品ＣのＩＤ９３ｃと商品ＤのＩＤ９３ｄが映像・音声情報５６に同様に含まれており、商品Ｃと商品Ｄが同時に撮影されているため、盛合せ商品ＣとＤの映像９７ｃ１及び盛合せ商品ＣとＤの音声９７ｃ２のデータとして格納されている。なお、図２１に示されるとおり、商品Ｂについても商品Ａと同様に、商品ＢのＩＤ９３ｂ、商品Ｂの映像９７ｂ１及び商品Ｂの音声９７ｂ２が映像・音声情報のデータとして格納されている。
【００５６】
次に、図２２は、本実施の形態に係る商品認証情報データベースの内容を示す概念図である。図２２に示されるとおり、この商品認証情報データベース８３は、例えば商品Ａ乃至Ｄに対して、商品ＡのＩＤ９３ａと商品Ａの名前９４ａ、商品ＢのＩＤ９３ｂと商品Ｂの名前９４ｂ、商品ＣのＩＤ９３ｃと商品Ｃの名前９４ｃ、商品ＤのＩＤ９３ｄと商品Ｄの名前９４ｄを対応付けてデータとして格納しているものである。すなわち、予めインターネット等のメディアを通じて販売する予定の被写体６に対して、商品認証情報発生手段８０ａを付す際に、どの商品認証情報発生手段８０ａから発せられる商品認証情報がどの商品を示しているのかをデータとして格納しておくものである。この商品認証情報データベース８３を検索することで、各々の商品用に振られたＩＤに対して、どの商品が対応しているかを認識することが可能である。
図２０を参照しながら説明したとおり、商品の名前を付帯情報に加えることによれば、図２２に示す商品認証情報データベース８３自体は必ずしも必要ではないが、特に、商品の名前と商品のＩＤのみを対応させたデータベースを設けておくことで、商品のＩＤと商品の名前間での検索を容易としたり、出力部４などを利用したチェックを容易とするものである。
【００５７】
図２３は、本実施の形態に係る結合情報データベースの内容を示す概念図である。図２３において、結合情報データベース１７に格納されている商品結合情報５７ａあるいは盛合せ商品結合情報５８ａは、図２１に示される映像・音声情報５５，５６と、図２０に示される商品Ａ〜Ｄの付帯情報９８ａ〜９８ｄが結合した状態のもので、その結合した情報をデータとして格納している。
商品結合情報５７ａでは、商品Ａについて商品ＡのＩＤ９３ａ、商品Ａの映像９７ａ１及び商品Ａの音声９７ａ２という映像・音声情報５５が、商品Ａの付帯情報９８ａと結合しており、盛合せ商品結合情報５８ａでは、商品ＣのＩＤ９３ｃと商品ＤのＩＤ９３ｄ、盛合せ商品ＣとＤの映像９７ｃ１、盛合せ商品ＣとＤの音声９７ｃ２という映像・音声情報５６が、商品Ｃの付帯情報９８ｃ及び商品Ｄの付帯情報９８ｄと結合している。
この商品結合情報５７ａ及び盛合せ商品結合情報５８ａも図２１に示される映像・音声情報５５，５６と同様に、上から時系列的にデータとして格納されている。
以上、データベース１５〜１７，８３，８４，２１について説明した。
【００５８】
次に、図２４乃至図２７をも参照しながら、図１７に示される本実施の形態に係る被写体情報編集装置１ａと被写体情報編集システム１ｃについて説明する。
図２４は、本実施の形態に係る被写体情報編集システムにおいて実行される情報処理方法の工程を示す概念図であり、図２５は、図２４に示される情報処理方法の工程に映像・音声編集部２２によって実行される聴覚効果情報データベース１５あるいは視覚効果情報データベース１６から情報を抽出して結合情報に挿入する場合の工程を追加した場合の概念図である。
これらの図に記載される工程は、それぞれ図９，１０に示される第１の実施の形態における工程と名称が異なるものの本質的な内容は同一である。すなわち、各要素において「個人」とあるものを「商品」に置き換えたものである。従って、それぞれの重複する具体的な説明は省略する。コードの内容や優先順位に関する情報・データの取り扱いについても同様であるので省略する。
本実施の形態では、被写体が生鮮食品等の商品であるので、撮影する場所は、前述のとおり、生鮮市場や生鮮食品を搬入したスタジオなどであり、いずれも結合情報を編集する工程となっている。ただ、図２４のステップＳ５では、結合情報を上映するのではなく、結合情報のいわゆるアップロード、すなわち結合情報をインターネットサイト上で掲載することになる。これによって、インターネット及びパーソナルコンピュータを介して被写体である生鮮食品に関する情報を提供可能となるのである。この状態については、図２７を参照しながら後で説明する。
【００５９】
図２６の（ａ）及び（ｂ）は、本実施の形態に係る被写体情報編集システム１ｃの映像・音声編集部が編集を行うために用いられる編集データエリアを示す概念図である。本実施の形態における編集の意味は、第１の実施の形態等と同様である。
編集データエリア６４は、出力部４とインターネット１０を介してパーソナルコンピュータ８２に表示される映像の配置を所望にするために、結合情報に含まれる個々の情報を編集するためのエリアを示すものである。また、映像エリア９９ａは、映像・音声情報７のうち、映像に関する情報を投影するためのエリアを概念して、ここに投影される映像データ、すなわち、本実施の形態では、図２３に示される盛合せ商品ＣとＤの映像９７ｃ１を映像・音声編集部２２が配置したものである。
本実施の形態においては、商品の名前エリア９９ｂ、商品の生産者エリア９９ｃ、商品の情報説明エリア９９ｄをそれぞれ１箇所設けているが、図１２を参照しながら説明した第１の実施の形態のように、２箇所ずつ設けてもよい。その際には、盛合せ商品のそれぞれについて先のエリアに沿って商品の名前、生産者、情報説明を行うことになる。
図２６（ｂ）は、編集データエリア６４のうち、視覚・聴覚効果情報エリア６９となるものを示す概念図であるが、この説明は第１の実施の形態における説明と重複するので省略する。
【００６０】
次に、図２７を参照しながら、図２４，２５のステップＳ５に示される工程の状況を具体的に説明する。図２７は、本実施の形態に係る被写体情報編集システムを用いて、結合情報をインターネット上で閲覧可能な状態にしている状況を示す概念図である。
コンピュータ画面１００上に、映像エリア９９ａに商品Ａの映像９７ａ１が、商品の名前エリア９９ｂに商品Ａの名前９４ａが、商品の生産者エリア９９ｃに商品Ａの生産者とメッセージ９５ａが、商品の情報説明エリア９９ｄに商品Ａに関する情報９６ａがそれぞれ表示されている。
予め、図１３に示されるような配置として投影されるように映像・音声編集部２２で編集しているため、このように投影されるものであるが、その際の編集時に、結合情報を用いているため、迅速かつ正確に編集が可能となっている。
結合情報は、そもそも映像・音声情報７に商品認証情報８１を含めた情報をマイク９ａ付のビデオカメラ９で撮影しており、この商品認証情報８１をキーとして、商品に関する付帯情報を検索して抽出して、映像・音声情報７及び商品認証情報８１と結合させて得られるものであるため、その作業には人手が不要であり、生鮮食品等生産や収穫から鮮度を維持したままの販売までの限られた時間内に迅速かつ正確に映像・音声情報７の編集が可能となるのである。
商品に予め商品認証情報８１を発する商品認証情報発生手段８０ａを付けておき、ビデオカメラ９で被写体となる商品を撮影することで、商品に関する映像・音声情報７と同時に商品認証情報８１を撮影することが可能である。
その商品認証情報８１を得ることで、その被写体を認識して、その被写体に付帯する情報を商品付帯情報データベース２０から抽出して映像・音声情報７や商品認証情報８１と結合させることで、あたかも撮影者が被写体たる商品各々の氏名や付帯する情報について認識しているかのような効果を発揮をすることが短時間に可能なのである。
しかも、商品認証情報８１をキーとした優先順位を予め設定しておいたり、付帯情報に優先順位などの情報を格納しておくことによって、映像・音声編集部２２による編集時にもその優先順位を基づいて、商品結合情報５７ａや盛合せ商品結合情報５８ａの編集順序としての優先順位を決定することが可能である。
よって、商品を販売する際に、例えば特売品などを通常の商品よりも先に表示したり、商品の種類によって順序立てて販売する際には、より販売者や編集者の意図に沿う編集が可能となる。
【００６１】
なお、第１の実施の形態においては、図１４を参照しながら、ＩＤコードをＩＤ記号として変換を行うためのデータベースの内容について説明したが、この内容は本実施の形態においても適用が可能である。但し、内容としては重複するためその説明を省略する。
以上説明したとおり、インターネット販売などにおいても被写体情報編集システムを用いることによって、披露宴や会議に用いる場合と同様の作用及び効果を発揮し得る。なお、本実施の形態では、インターネット上で販売を行うとして説明したが、例えば、インターネット上で結合情報を掲載して情報を提供しながら、実店舗でその商品を売るようにしてもよいことは言うまでもない。
【産業上の利用可能性】
【００６２】
以上説明したように、本発明の請求項１乃至請求項５に記載された発明は、披露宴や会議等に参加する出席者に関して、音声や映像を取得しつつ、認証情報を同時に取得することで、それぞれの出席者に付帯する情報を含めて、省力化・時間短縮化しながら編集可能とする情報編集装置として利用可能である。
【図面の簡単な説明】
【００６３】
【図１】本発明の第１の実施の形態に係る被写体情報編集システムの概念図である。
【図２】本発明の第１の実施の形態に係る被写体情報編集装置の構成図である。
【図３】本実施の形態に係る聴覚効果情報データベースの内容を示す概念図である。
【図４】本実施の形態に係る視覚効果情報データベースの内容を示す概念図である。
【図５】本実施の形態に係る個人付帯情報データベースの内容を示す概念図である。
【図６】本実施の形態に係る映像・音声情報データベースの内容を示す概念図である。
【図７】本実施の形態に係る個人認証情報データベースの内容を示す概念図である。
【図８】本実施の形態に係る結合情報データベースの内容を示す概念図である。
【図９】本実施の形態に係る被写体情報編集システムにおいて実行される情報処理方法の工程を示す概念図である。
【図１０】本実施の形態に係る被写体情報編集システムにおいて実行される情報処理方法の工程を示す概念図である。
【図１１】本実施の形態に係る被写体情報編集システムにおいて実行される情報処理方法のうち、ステップＳ１で実施される個人認証情報と映像・音声情報の撮影の状況を示す概念図である。
【図１２】（ａ）及び（ｂ）は、本実施の形態に係る被写体情報編集システムの映像・音声編集部が編集を行うために用いられる編集データエリアを示す概念図である。
【図１３】本実施の形態に係る被写体情報編集システムを用いて、結合情報を上映している状況を示す概念図である。
【図１４】ＩＤコードをＩＤ記号として変換を行うためのデータベースの内容を示す概念図である。
【図１５】本発明の第２の実施の形態に係る被写体情報編集システムの概念図である。
【図１６】本発明の第４の実施の形態に係る被写体情報編集システムの概念図である。
【図１７】本発明の第４の実施の形態に係る被写体情報編集装置の構成図である。
【図１８】本実施の形態に係る聴覚効果情報データベースの内容を示す概念図である。
【図１９】本実施の形態に係る視覚効果情報データベースの内容を示す概念図である。
【図２０】本実施の形態に係る商品付帯情報データベースの内容を示す概念図である。
【図２１】本実施の形態に係る映像・音声情報データベースの内容を示す概念図である。
【図２２】本実施の形態に係る商品認証情報データベースの内容を示す概念図である。
【図２３】本実施の形態に係る結合情報データベースの内容を示す概念図である。
【図２４】本実施の形態に係る被写体情報編集システムにおいて実行される情報処理方法の工程を示す概念図である。
【図２５】本実施の形態に係る被写体情報編集システムにおいて実行される情報処理方法の工程を示す概念図である。
【図２６】（ａ）及び（ｂ）は、本実施の形態に係る被写体情報編集システムの映像・音声編集部が編集を行うために用いられる編集データエリアを示す概念図である。
【図２７】本実施の形態に係る被写体情報編集システムを用いて、結合情報をインターネット上で閲覧可能な状態にしている状況を示す概念図である。
【符号の説明】
【００６４】
１，１ｂ，１ｃ…被写体情報編集システム  １ａ…被写体情報編集装置  ２…入力部  ３…演算部  ４…出力部  ５…データベース  ６…被写体  ７…映像・音声情報  ７ａ１…個人Ａの映像  ７ｂ１…個人Ｂの映像  ７ｃ１…団体ＣとＤの映像  ７ａ２…個人Ａの音声  ７ｂ２…個人Ｂの音声  ７ｃ２…団体ＣとＤの音声  ８…個人認証情報  ８ａ…個人ＡのＩＤ  ８ｂ…個人ＢのＩＤ  ８ｃ…個人ＣのＩＤ  ８ｄ…個人ＤのＩＤ  ９…ビデオカメラ  ９ａ…マイク  １０…インターネット  １１…遠隔施設  １２…遠隔データベース  １３…プロジェクター  １４…スクリーン  １５…聴覚効果情報データベース  １６…視覚効果情報データベース  １７…結合情報データベース  １９…個人認証情報データベース  ２０…個人付帯情報データベース  ２１…映像・音声情報データベース  ２２…映像・音声編集部  ２３…個人認証情報処理部  ２４…個人付帯情報処理部  ２５…情報結合部  ３０…バックグラウンドミュージック  ３１…効果音  ３２…来賓者のメッセージ  ３３…新郎・新婦のメッセージ  ３４…新郎・新婦の親族のメッセージ  ３５…欠席者のメッセージ  ３６…披露宴関係者が入力した音楽  ４０…背景映像・画像  ４１…来賓者の映像・画像  ４２…新郎・新婦の映像・画像  ４３…新郎・新婦の親族の映像・画像  ４４…欠席者の映像・画像  ４５…キャラクター映像・画像  ４６…ＣＧイメージ映像・画像  ４７…風景・物体映像・画像  ５１ａ…個人Ａの付帯情報  ５１ｂ…個人Ｂの付帯情報  ５１ｃ…個人Ｃの付帯情報  ５１ｄ…個人Ｄの付帯情報  ５２ａ…個人Ａの名前  ５２ｂ…個人Ｂの名前  ５２ｃ…個人Ｃの名前  ５２ｄ…個人Ｄの名前  ５３ａ…個人Ａと新郎・新婦との関係  ５３ｂ…個人Ｂと新郎・新婦との関係  ５３ｃ…個人Ｃと新郎・新婦との関係  ５３ｄ…個人Ｄと新郎・新婦との関係  ５４ａ…個人Ａのメッセージ  ５４ｂ…個人Ｂのメッセージ  ５４ｃ…個人Ｃのメッセージ  ５４ｄ…個人Ｄのメッセージ  ５５，５６…映像・音声情報  ５７…個人結合情報  ５７ａ…商品結合情報  ５８…団体結合情報  ５８ａ…盛合せ商品結合情報  ６１ａ…個人ＡのＩＤコード  ６１ｂ…個人ＢのＩＤコード  ６１ｃ…個人ＣのＩＤコード  ６１ｄ…個人ＤのＩＤコード  ６２ｃ…個人Ｃ  ６２ｄ…個人Ｄ  ６３…撮影者  ６４…編集データエリア  ６５…映像エリア  ６６ｃ…第１付帯情報エリア  ６６ｄ…第２付帯情報エリア  ６７ｃ…第１氏名エリア  ６７ｄ…第２氏名エリア  ６８ｃ…第１メッセージエリア  ６８ｄ…第２メッセージエリア  ６９…視覚・聴覚効果情報エリア  ７４ａ…個人ＡのＩＤ記号  ７４ｂ…個人ＢのＩＤ記号  ７４ｃ…個人ＣのＩＤ記号  ７４ｄ…個人ＤのＩＤ記号  ７５…ＩＤ変換データベース  ７６…送信装置  ７７…受信装置  ８０…個人認証情報発生手段  ８０ａ…商品認証情報発生手段  ８１…商品認証情報  ８２…パーソナルコンピュータ  ８３…商品認証情報データベース  ８４…商品付帯情報データベース  ８５…商品認証情報処理部  ８６…商品付帯情報処理部  ８７…生産者のメッセージ  ８８…流通担当者のメッセージ  ８９…生産者の映像・画像  ９０…流通担当者の映像・画像  ９１…生産現場の映像・画像  ９２…流通現場の映像・画像  ９３ａ…商品ＡのＩＤ  ９３ｂ…商品ＢのＩＤ  ９３ｃ…商品ＣのＩＤ  ９３ｄ…商品ＤのＩＤ  ９４ａ…商品Ａの名前  ９４ｂ…商品Ｂの名前  ９４ｃ…商品Ｃの名前  ９４ｄ…商品Ｄの名前  ９５ａ…商品Ａの生産者とメッセージ  ９５ｂ…商品Ｂの生産者とメッセージ  ９５ｃ…商品Ｃの生産者とメッセージ  ９５ｄ…商品Ｄの生産者とメッセージ  ９６ａ…商品Ａに関する情報  ９６ｂ…商品Ｂに関する情報  ９６ｃ…商品Ｃに関する情報  ９６ｄ…商品Ｄに関する情報  ９７ａ１…商品Ａの映像  ９７ｂ１…商品Ｂの映像  ９７ｃ１…盛合せ商品ＣとＤの映像  ９７ａ２…商品Ａの音声  ９７ｂ２…商品Ｂの音声  ９７ｃ２…盛合せ商品ＣとＤの音声  ９８ａ…商品Ａの付帯情報  ９８ｂ…商品Ｂの付帯情報  ９８ｃ…商品Ｃの付帯情報  ９８ｄ…商品Ｄの付帯情報  ９９ａ…映像エリア  ９９ｂ…商品の名前エリア  ９９ｃ…商品の生産者エリア  ９９ｄ…商品の情報説明エリア  １００…コンピュータ画面
【図１】
0004922197.tif 000002
【図２】
0004922197.tif 000003
【図３】
0004922197.tif 000004
【図４】
0004922197.tif 000005
【図５】
0004922197.tif 000006
【図６】
0004922197.tif 000007
【図７】
0004922197.tif 000008
【図８】
0004922197.tif 000009
【図９】
0004922197.tif 000010
【図１０】
0004922197.tif 000011
【図１１】
0004922197.tif 000012
【図１２】
0004922197.tif 000013
【図１３】
0004922197.tif 000014
【図１４】
0004922197.tif 000015
【図１５】
0004922197.tif 000016
【図１６】
0004922197.tif 000017
【図１７】
0004922197.tif 000018
【図１８】
0004922197.tif 000019
【図１９】
0004922197.tif 000020
【図２０】
0004922197.tif 000021
【図２１】
0004922197.tif 000022
【図２２】
0004922197.tif 000023
【図２３】
0004922197.tif 000024
【図２４】
0004922197.tif 000025
【図２５】
0004922197.tif 000026
【図２６】
0004922197.tif 000027
【図２７】
0004922197.tif 000028